(57)【要約】【課題】海上で発生した波を正確に検出して波に関する情報をリアルタイムでサーファに提供することにより、遊戯性および安全性の向上を実現する波情報通知システムを提供すること。【解決手段】波情報通知システム１００は、各ブイ２が海上の波の高さを検出して発信し、波情報受信部９により受信されると、波情報掲示部１１が、これらの各波の高度情報に含まれるデータの加工処理を行い、波形データを作成する。そして、通信網６、基地局４を介してサーファが携帯している各水中携帯装置３にリアルタイムに配信する処理を行う。水中携帯装置３は、波形データ表示処理を行う。このため、サーファは、この表示部に表示された波形データの波を確認して、自己がサーフィンするか否かを判断を行うことができる。【選択図】図１
2007133638.tif 000002
【特許請求の範囲】
【請求項１】
海で遊戯を行う遊戯者に対して、波に関する情報を提供する波情報通知システムにおいて、
波を検出して波に関する情報を発信する波情報検出手段と、
前記波情報検出手段が発信した波情報を受信する波情報受信手段と、
前記波情報受信手段が受信した波情報に基づいて、遊戯者が行う遊戯に必要な波遊戯情報を作成する波遊戯情報作成手段と、
前記波遊戯情報作成手段が作成した波遊戯情報を外部に送信する波遊戯情報送信手段と、
前記波遊戯情報送信手段が送信した波遊戯情報を遊戯者に対して表示する波遊戯情報表示手段とを備えたことを特徴とする波情報通知システム。
【請求項２】
請求項１に記載の波情報通知システムにおいて、
前記波情報検出手段は、海上に所定間隔で直線状に沿って複数設置されて波の高さを検出して発信し、
前記波遊戯情報作成手段は、前記波情報受信手段が受信した波の高さの情報に基づいて、遊戯者が遊戯を行う海上の波形データを作成し、
前記波遊戯情報作成手段が作成した波形データを外部に送信する波遊戯情報送信手段と、
波遊戯情報表示手段は、前記波遊戯情報送信手段が送信した波形データを遊戯者が携帯する携帯装置の表示手段に表示することを特徴とする波情報通知システム。
【発明の詳細な説明】
【技術分野】
【０００１】
本発明は、海で遊戯を行うサーファに対して、波に関する情報を提供する波情報通知システムに関する。
【背景技術】
【０００２】
従来より、海でサーフィン等の遊戯を行うサーファ等の遊戯者に対して遊戯に必要となる海上の波に関する波情報を登録して管理する技術として、例えば海上の波に関する情報を管理する管理装置が備える撮像装置により海の撮像画像データを取得し、この撮像画像データの撮像画像の分析処理を実行して波の色、大きさ、波のブレイク位置およびその波の形状、波の崩れ方、砕け方等に関する情報を用いて、サーフィンなどの砕け波を必要とする海での遊戯者に合う波か、適さない波かを自動判断し、これらの情報を提供するものが提案されている（例えば、特許文献１参照。）。
【０００３】
また、ＧＰＳを利用し、ＧＰＳ人工衛星が発射する発射電波を海上のディスカスブイが受信して位相データを陸上に固定された固定局に送信し、固定局が発射電波を受信して、ディスカスブイから送信された位相データに基づいて、スタティック測位法により固定局に対するディスカスブイの相対位置を求めて波高、波向を算出するものも提案されている（例えば、特許文献２参照。）。
【０００４】
【特許文献１】特開２００４−１４５５７４号公報
【特許文献２】特開平１０−１８５５６４号公報
【発明の開示】
【発明が解決しようとする課題】
【０００５】
しかしながら、上記特許文献１に記載の技術は、撮像装置が撮影した撮像画像に写った波から、陸上に固定された灯台等の固定物との比較により波の高さ、大きさ等の波形データを作成して判断し波の最初に砕けるポイントを通知するものだが、実際に海上の波が砕ける際の要因となる要素は波のうねりの大きさ、うねりの向き、風速、風向き、潮回り、そして海底の地形により決まる。しかしながら特許文献１では海底の地形は無視されており、海底の地形に基づいて波形データの作成を行っていない。海底が岩場や珊瑚等常に同じ地形ならば特許文献１で記載されているように海底の地形は無視して、それ以外の他の情報を参考にして波の最初に砕けるポイントを通知することも可能であるが、撮像画像の波の海底の場所が砂浜付近であり砂が多く存在している場合、波形データを作成するそれぞれの日毎によって海底の地形が様々に変化し、当然のことながら波が最初に砕けるポイントも全く異なってくる。これにより波の大きさや波形データに関する誤った情報をサーファに伝えてしまう可能性がある。
【０００６】
また、撮像画像に対して固定物と比較する処理を行い、各種の参考情報に基づいて波の大きさや波形データを作成するため、各種の参考情報の検索や比較処理の計算等を行うことで処理時間が多く掛かり波の大きさや波形データ情報の通知が遅れ、サーファが向かってくる波の存在に気づかずに、初心者や経験が足りなくて波に対応できず巻き込まれ事故を引き起こすことも充分に考えられる。
【０００７】
また、波が高く、波の間隔も短い場合、撮像装置の撮像範囲から死角となり差像画像には写らない波があった場合も、サーファはその写らずに波形データ等が送られずに、その隠れた波を察知することができず波をサーフィンできず逃したり、巻き込まれて事故を引き起こす可能性が考えられる。また天候がよく、照り返しが酷く逆光となる場合や悪天候による視界不良等により撮像装置が波形を正確に捉えられない場合も考えられる。
【０００８】
また、上記特許文献２に記載の技術は、あくまで波の高さを測定するものであり、波形データ等を作成しないため波の高さだけではその波がサーフィン等に適した波かまではサーファには伝わり難く判断できないという問題があった。例えば、波には高さがあっても鈍角な波では波に乗り辛いし、逆に鋭角な波はサーファが対応できず巻き込まれて事故を起こしかねないという問題があった。
【０００９】
本発明は、以上のような問題を鑑みてなされたものであり、その目的とするところは、海上で発生した波を正確に検出して波に関する情報をリアルタイムでサーファに提供することにより、遊戯性および安全性の向上を実現した波情報通知システムを提供することにある。
【課題を解決するための手段】
【００１０】
上記目的を達成するために、本発明は、海で遊戯を行う遊戯者に対して、波に関する情報を提供する波情報通知システムにおいて、
波を検出して波に関する情報を発信する波情報検出手段と、
前記波情報検出手段が発信した波情報を受信する波情報受信手段と、
前記波情報受信手段が受信した波情報に基づいて、遊戯者が行う遊戯に必要な波遊戯情報を作成する波遊戯情報作成手段と、
前記波遊戯情報作成手段が作成した波遊戯情報を外部に送信する波遊戯情報送信手段と、
前記波遊戯情報送信手段が送信した波遊戯情報を遊戯者に対して表示する波遊戯情報表示手段とを備えたことを特徴とする。
【００１１】
また、上述の波情報通知システムにおいて、
前記波情報検出手段は、海上に所定間隔で直線状に沿って複数設置されて波の高さを検出して発信し、
前記波遊戯情報作成手段は、前記波情報受信手段が受信した波の高さの情報に基づいて、遊戯者が遊戯を行う海上の波形データを作成し、
波遊戯情報表示手段は、前記波遊戯情報送信手段が送信した波遊戯情報を遊戯者が携帯する携帯装置の表示手段に表示することとしても良い。
【００１２】
上述の波情報通知システムにおいて、
前記波遊戯情報表示手段は、
前記波遊戯情報送信手段が送信した波形データで示す波の高さの情報に基づいて、隣接する前記波情報検出手段で検出した波の高さの差が予め定められた設定数値を超えているか否かを判定する高低差判定手段と、
前記高低差判定手段が、前記予め定められた設定数値を超えていると判定した場合に遊戯者に対して警告を報知する警告報知手段とを備えてもよい。
【００１３】
また、上述の波情報通知システムにおいて、
ユーザの操作に応じて波の高さの高低差およびユーザのメールアドレスを関連付けて登録する波高低差登録手段と、
前記波情報受信手段が受信した波の高さの情報に基づいて、隣接する前記波情報検出手段で検出した波の高さの差が前記波高低差登録手段が登録した波の高さの高低差に合致するか否かを判定する登録判定手段と、
前記登録判定手段が、前記波高低差登録手段が登録した波の高さの高低差に合致すると判定した場合に、この波の高さの高低差に関連付けられたメールアドレスに対してその旨を通知する登録通知情報を送信する登録送信手段とを備えても良い。
【００１４】
上述の波情報通知システムにおいて、
遊戯者の位置を示す位置情報を検出して発信する位置検出手段と、
前記位置検出手段が発信した位置情報を受信する位置情報受信手段と、
前記位置情報受信手段が受信した位置情報に基づいて、複数の位置検出手段から発信された位置情報で示す位置の間隔が、予め定められた設定距離以内であるか否かを判定する間隔判定手段と、
前記間隔判定手段が、前記予め定められた設定距離以内であると判定した場合にその旨を通知する間隔通知情報を外部に送信する間隔送信手段と、
前記間隔送信手段が送信した間隔通知情報を受信したことに応じて、当該複数の位置検出手段が検出した遊戯者に対して危険を報知する危険報知手段とを備えても良い。
【発明の効果】
【００１５】
本発明に係る波情報通知システムによれば、海上で発生した波を正確に検出して波に関する情報をリアルタイムでサーファに提供することにより、遊戯性および安全性の向上を実現することが可能となる。
【発明を実施するための最良の形態】
【００１６】
以下、本発明に係る波情報通知システムを実施する場合の最良の形態を図面を参照して具体的に説明する。図１は、本実施の形態にかかる波情報通知システム１００の構成を示す説明図である。波情報通知システム１００は、図１に示すように、ＧＰＳが埋め込まれ海上を浮遊して設置されたブイ２が検出して発信した波の高さを示す情報を受信して波の高度を測定するＧＰＳ衛星１と、ＧＰＳ衛星１が測定し送信した波の高度情報を受信する基地局５と、基地局５が送信した波の高度情報を通信網６を介して受信しサーファが行うサーフィン等の遊戯に必要な情報やデータを作成する中央処理装置７と、中央処理装置７が作成し送信した情報やデータを通信網６を介して受信する基地局４と、基地局４から配信された情報やデータを受信しそれをディスプレイ等の表示部に表示するサーファが例えば身体に取り付けて携帯した腕時計型の水中携帯装置３と、中央処理装置７に情報の送受信が可能に接続され中央処理装置７が登録したユーザの情報を格納するユーザ情報ＤＢ１３と、中央処理装置７が作成し送信した情報やデータを通信網１４を介して受信しユーザの操作に応じてユーザの情報の登録を行う通信端末１５とを備えている。
【００１７】
ブイ２は、海上に１ｍまたは１０ｍ等の所定間隔毎に直線状に沿った箇所に複数浮遊して設置されており、各ブイ２は、それぞれ設置された箇所の波の高さを検出し、この波の高さの情報をＧＰＳ衛星１に対して発信する機能を有する。
【００１８】
水中携帯装置３は、サーファが海上でサーフィン等の遊戯を行っている最中においても基地局４から配信された情報やデータを受信して動作を行うことが可能な防水性を有しており、サーファの身体に取り付けるためのベルトと、配信された情報やデータを表示するディスプレイ等の表示部が形成された本体部とから構成されている。またＧＰＳ等によりサーファの海での現在位置を示す位置情報を検出してＧＰＳ衛星１、基地局５を介して中央処理装置７に送信する機能や、後述する高低差通知情報や間隔通知情報を受信したことに応じてサーファに対して危険や警告を報知するアラーム音を出力する機能を有する。
【００１９】
中央処理装置７は、ＧＰＳ衛星１が測定し送信した波の高度情報を基地局５および通信網６を経由して受信する波情報受信部９と、波情報受信部９が受信した波の高度情報に基づいてユーザ情報ＤＢ１３に格納されたユーザの情報を検索する処理を行う波情報通知検索部８と、ユーザの操作に応じて通信端末１５から通信網１４を介して送信されたユーザの情報の登録を行いユーザ情報ＤＢ１３に格納するユーザ情報登録部１０と、これらの受信した各波の高度情報に基づいてデータの加工処理を行い作成した後述する波形データを通信網６および基地局４を経由して水中端末装置３に配信する波情報掲示部１１と、波情報通知検索部８の検索結果に応じて登録された波が発生した旨を通知する登録通知情報を通信端末１５に送信する波情報通知部１２とを備えている。
【００２０】
波情報通知検索部８は、波情報受信部９が受信した各波の高度情報から隣接する波の高度情報で示す波の高さの差に基づいて処理を行い、ユーザ情報ＤＢ１３に格納されたユーザの情報を検索し、ユーザの情報として登録されたユーザが希望する波の高さが、隣接する波の高度情報で示す波の高さの差と合致するか否かを判定する。そして、この隣接する波の高度情報で示す波の高さの差と合致すると判定した場合には、波情報の通知対象であると判断し、この希望する波の高さの情報に関連付けられたユーザのメールアドレスに対して波情報通知部１２を用いて登録通知情報を送信する機能を有する。また、登録通知情報を送信したことに応じて、波情報の通知対象となる希望する波の高さの情報に、登録通知情報を送信した時刻を最終通知時間として関連付けてユーザ情報ＤＢ１３に格納する。
【００２１】
ユーザ情報登録部１０は、ユーザの操作に応じて通信端末１５から送信されたユーザの情報の登録処理を行いユーザ情報ＤＢ１３に格納する機能を有する。ユーザ情報としては、例えばユーザを識別するためのユーザＩＤ、ユーザがサーフィンで希望する波の高さ、希望する高さの波の通知の有無、通知を希望する時間帯等の各種の情報、ユーザのメールアドレス等の各種の情報を関連付けてユーザ情報ＤＢ１３に格納する。
【００２２】
波情報掲示部１１は、波情報受信部９が受信した各波の高度情報に基づいてデータの加工処理を行い、サーファが行うサーフィン等の遊戯に必要となるデータとして、各ブイ２が設置された箇所での波の高度情報で示す高さを、海水の性質等に従った曲線等で結ぶことにより、海上の波の海岸線から沖合い方向に向かった直線状に沿った断面形状を表示した波形データを作成し、通信網６および基地局４を経由して水中端末装置３に配信する機能を有する。また、サーファが身に付けた各水中携帯装置３から送信された位置情報で示す位置の間隔を算出し、予め定められた例えば２〜４ｍ以内等の設定距離以内であるか否かを判定して、設定距離以内である場合には危険を報知するアラーム音を出力させるための間隔通知情報を通信網６および基地局４を経由して水中端末装置３に送信する機能を有する。
【００２３】
通信網６、１４は、インターネット等の公衆網である。
【００２４】
通信端末１５としては、例えばインターネット等を介して情報の送受信が可能な携帯電話やノートＰＣ等の携帯端末や、パーソナルコンピュータ等が挙げられる。
【００２５】
図３は、水中携帯装置３の本体部に形成された表示部を示す説明図である。図３に示すように、この表示部には、海上の波の断面形状により波高座標のデータを表した波形データ１６と、サーファが波形データ１６上の波の高さを判断するための波の高さの目盛りを示す波高目盛線１７と、サーファが波形データ１６上の波の海岸線からの距離を判断するための海岸線からの距離の目盛りを示す距離目盛線１８と、予め設定されたサーファがサーフィンで乗りたい波として希望する波の高さを表示する通知波高表示１９と、予め設定された水中携帯装置３を携帯するサーファに対して危険と判断される波の高さを表示する危険波高表示２０とが表示されている。
【００２６】
波高目盛線１７、距離目盛線１８の各目盛線の表示範囲は、サーファが図示しない水中携帯装置３の操作部を操作することにより、サーフィンを行う日の海上の波の状況や自分の技術力、体調等に応じて水中携帯装置３内部のメモリに設定記憶できるものとし、この設定した波高目盛線１７、距離目盛線１８に対応させて波形データ１６も表示内容を修正可能となっている。また、通知波高表示１９や危険波高表示２０で表示した波の高さは、図示しない水中携帯装置３の操作部をサーファが操作して数値を入力すること等によって水中携帯装置３内部のメモリに設定記憶できるようになっている。
【００２７】
続いて、上述のような構成を有する波情報通知システム１００の動作について図２に示すフローチャートを用いて詳細に説明する。まず、各ブイ２が海上の波の高さを検出して発信し、ＧＰＳ衛星１がこれを受信して波の高度を測定して波の高度情報が基地局５、通信網６を経由して波情報受信部９により受信されると、波情報受信部９は、各波の高度情報を波情報掲示部１１に送信する。
【００２８】
波情報掲示部１１は、各波の高度情報を受信するとこれらの各波の高度情報に含まれるデータの加工処理を行い、各ブイ２の設置箇所に対応させて各波の高さの情報を海上の分布図データ内に分布させていき、各波の高度情報で示す高さを、海水の性質等に従った波線やうねり等の形状を表した曲線等で結ぶことにより、海岸線から沖合い方向に向かった直線状に沿った海上の波の断面形状を表示した波形データを作成する。そして、通信網６を介して基地局４に配信する。
【００２９】
基地局４は、波情報掲示部１１から波形データが配信されると、海上又は海岸付近でサーフィン等の遊戯を行っているサーファが携帯している各水中携帯装置３にリアルタイムに配信する処理を行う。
【００３０】
水中携帯装置３は、基地局４から配信された波形データを受信すると、図３に示すように、表示部に表示する波形データ表示処理を行う。サーファは、この表示部に表示された波形データの波を確認して、自己がサーフィンするか否かを判断を行いながら、遊戯性が向上したサーフィン等の遊戯を行う。
【００３１】
また、水中携帯装置３は、波形データの各波の高さを参照して波形データ内の隣接するブイ２に対応する箇所の波の高さの差が、予め設定された危険波高表示２０で示す波の高さ以上であるか否かを判定する処理を行う。そして、危険波高表示２０で示す波の高さ以上である場合には、図示しないスピーカ等によりサーファに対してアラーム音を出力し、危険な波の高さであることの警告を報知する処理を行う。
【００３２】
また、水中携帯装置３は、波形データの各波の高さを参照して波形データ内の隣接するブイ２に対応する箇所の波の高さの差が、予め設定された通知波高表示１９で示す波の高さに合致するか否かを判定する処理を行う。そして、通知波高表示１９で示す波の高さに合致する場合には、図示しないスピーカ等によりサーファに対してメロディ音等の通知音を出力し、サーファがサーフィンで乗りたい波として希望する波の高さであることを通知する処理を行う。
【００３３】
更に、基地局４は、ユーザの操作に応じて通信端末１５から送信された波形データを要求する要求情報を通信網６を介して受信すると、これに応じて波形データを通信端末１５に配信する処理を行う。通信端末１５は配信された波形データをディスプレイ等に表示し、ユーザはこれを確認してサーフィンを行うか否かを判断することができる。
【００３４】
続いて、ユーザ情報登録部１０がユーザの情報を登録する処理について図４に示すフローチャートを用いて詳細に説明する。まず、ユーザの操作に応じて通信端末１５からユーザを識別するためのユーザＩＤ、パスワード、ユーザに波に関する情報を通知する通知先のメールアドレス、通知希望の有無、通知を希望する時刻の時間間隔を示す通知間隔時間、ユーザがサーフィンで希望し通知を望む波の高さを示す通知希望波高等の情報をユーザ情報として、通信網１４を介してユーザ情報登録部１０に送信する処理を行う。
【００３５】
ユーザ情報登録部１０は、ユーザ情報を受信するとユーザ情報に含まれるこれらの各情報を関連付けてユーザ情報ＤＢ１３に登録し、記憶する処理を行う。
【００３６】
続いて、波情報通知検索部８がユーザが希望する高さの波を通知する処理について図５に示すフローチャートを用いて詳細に説明する。まず、各ブイ２が海上の波の高さを検出して発信し、ＧＰＳ衛星１がこれを受信して波の高度を測定して波の高度情報が基地局５、通信網６を経由して波情報受信部９により受信されると、波情報受信部９は、各波の高度情報を波情報検索部８に送信する。
【００３７】
波情報検索部８は、各波の高度情報が送信されると、波に関する情報を通知するための通知処理を開始する。そして、ユーザ情報ＤＢ１３に格納されたユーザの情報を検索し各ユーザ情報を順番に読み出す処理を行う。まず第一に、ユーザ情報に含まれる通知希望の有無の情報を参照し、通知を希望しているか否かを判定する。通知を希望している場合には、第二に、ユーザ情報に含まれるユーザがサーフィンで希望し通知を望む波の高さの情報を参照し、波の高度情報で示す波の高さがユーザがサーフィンで希望し通知を望む波の高さに合致するまたはそれ以上であるか否かを判定する。通知を望む波の高さに合致するまたはそれ以上である場合には、第三に、ユーザ情報に含まれる通知間隔時間の情報を参照し、各波の高度情報が送信された時刻が最終通知時刻から時間の計測を開始して最終通知時刻から通知間隔時間で示す時間が経過した時刻以後であるか否かを判定する。最終通知時刻から通知間隔時間で示す時間が経過した時刻以後である場合には、メール送信処理を行う。ここで、最終通知時刻とは、波情報通知検索部８がユーザが希望する高さの波を通知する処理を行ってメールの送信を行った前回の時点での波の高度情報を受信の時刻を示しており、ユーザ情報に含まれる各情報と関連付けてユーザ情報ＤＢ１３に記憶されている。
【００３８】
波情報検索部８は、メール送信処理を開始すると通知を望む波の高さに合致するまたはそれ以上の波の高さと、この波の高さの情報に対応するブイ２の設置箇所、ユーザの通知先のメールアドレス等の情報を波情報通知部１２に送信する。
【００３９】
波情報通知部１２は、通知を望む波の高さに合致するまたはそれ以上の波の高さと、この波の高さの情報に対応するブイ２の設置箇所、ユーザの通知先のメールアドレス等の情報を受信すると、通知を望む波の高さに合致するまたはそれ以上である波が発生した旨を通知するメールを作成し、このメールに通知を望む波の高さに合致するまたはそれ以上の波の高さと、この波の高さの情報に対応するブイ２の設置箇所等の情報を添付して、ユーザの通知先のメールアドレスに送信する。
【００４０】
ユーザは、通信端末１５により通信網１４を介してメールを受信すると、メールの通知内容や通知を望む波の高さに合致するまたはそれ以上の波の高さと、この波の高さの情報に対応するブイ２の設置箇所等の情報を確認して、自己が希望する高さの波が発生したことを確認し、サーフィンを行うか否かを判断することができる。
【００４１】
波情報検索部８は、以上の処理を波に関する情報を通知するための通知処理において、ユーザ情報ＤＢ１３に格納された各ユーザ情報に対して、ユーザ情報ＤＢ１から３順番に読み出して実行する。
【００４２】
また、波情報検索部８は、メール送信処理を開始すると上述の情報を波情報通知部１２に送信すると同時に、ユーザ情報ＤＢ１３を更新する処理を行い、ユーザの情報に含まれ各情報と関連付けられていた最終通知時刻の情報を更新して、通知を望む波の高さに合致するまたはそれ以上の波の高度情報を受信した時刻とし、ユーザ情報ＤＢ１３に格納する。
【００４３】
続いて、複数のサーファの位置の間隔が予め定められた設定距離以内である場合に危険を報知する処理について図６に示すフローチャートを用いて詳細に説明する。まず、各サーファが携帯する水中携帯装置３が例えば所定時間周期毎に現在位置を示す位置情報を検出してこの位置情報および水中携帯装置３を識別するための識別情報を発信し、ＧＰＳ衛星１がこれを受信して基地局５、通信網６を経由して波情報受信部９に送信されると、波情報受信部９は、各水中携帯装置３の位置情報を波情報掲示部１１に送信する。
【００４４】
波情報掲示部１１は、各水中携帯装置３の位置情報を受信するとこれらの位置情報で示すそれぞれの位置同士の間隔を測定し、測定した位置の間隔が予め波情報掲示部１１内部の図示しないＲＯＭに設定され格納された設定距離以内であるか否かを判定する。測定した位置の間隔が設定距離以内である場合には、サーファ同士の位置の間隔が設定距離以内であり危険である旨を通知するための間隔通知情報を作成し、位置の間隔が設定距離以内である各位置情報に対応する間隔通知情報の通知対象となる各水中携帯装置３の識別情報に基づいて、間隔通知情報を通信網６を介して基地局４に送信する。
【００４５】
基地局４は、波情報掲示部１１から間隔通知情報が送信されると、海上又は海岸付近でサーフィン等の遊戯を行っているサーファが携帯している各水中携帯装置３のうち、間隔通知情報の通知対象となる各水中携帯装置３の識別情報に基づいてリアルタイムに送信する処理を行う。
【００４６】
間隔通知情報の通知対象となる水中携帯装置３は、基地局４から送信された間隔通知情報を受信すると、例えば危険を報知するアラーム音を出力し、危険である旨をディスプレイ等に表示することにより危険を報知する処理を行う。サーファは、この出力されたアラーム音を確認して、自己の周囲に設定距離以内に近づいている他のサーファと衝突する等の事故の発生を防止しながら、遊戯性が向上したサーフィン等の遊戯を行う。
【００４７】
以上のように、本実施の形態における波情報通知システム１００は、各ブイ２が海上の波の高さを検出して発信し、波情報受信部９により受信されると、波情報掲示部１１が、これらの各波の高度情報に含まれるデータの加工処理を行い、波形データを作成する。そして、通信網６、基地局４を介してサーファが携帯している各水中携帯装置３にリアルタイムに配信する処理を行う。水中携帯装置３は、波形データ表示処理を行う。このため、サーファは、この表示部に表示された波形データの波を確認して、自己がサーフィンするか否かを判断を行うことができる。
【００４８】
また、ＧＰＳを埋め込んだブイ２を利用することにより、波の高さを正確に計測することができ、悪天候でも正確な高さが求められ、海上の波の裏に潜む別の波の高さの死角等に拘わらず検出してサーファが知る事ができる。更に、ＧＰＳを埋め込んだブイ２を海岸線から沖合いへ一直線上に等間隔にて設置するため、それぞれの海上での高度情報から波の断面形状を正確に表示した波形データを作成する事が可能となる。さらに作成した波形データを水中携帯装置３に送信することで海にいながらにしてサーファが情報を取得することが可能となる。
【００４９】
サーファは、海にいながらにして波情報を知る事ができるだけでなく、波が大きい場合にその波の死角となる裏側に潜む波の有無を知る事も可能となる。これはサーファが多数海上に居合わせて混雑した場合、今正面に見えている波に向かって乗りがちなサーファが、その波の背後に潜む波の存在や発生している波の状況を把握して知る事で、順序や計画を立ててサーフィンを行っていくことで波の取り合いにゆとりをもたせ、複数のサーファが同じ波に乗って衝突等を招く危険性がある行為を減らし、安全性を高める効果が期待できる。
【００５０】
また、水中携帯装置３は、波形データの各波の高さを参照して波形データ内の隣接するブイ２に対応する箇所の波の高さの差が、予め設定された危険波高表示２０や通知波高表示１９で示す波の高さに基づいて処理を行う。そして、図示しないスピーカ等によりサーファに対してアラーム音やメロディ音等を出力し、警告を報知する処理や希望する波の高さであることを通知する処理を行う。
【００５１】
このため、水中携帯装置３にサーファがサーフィンを行う日の自己の体調や経験度合いに合った希望する波の高さを設定しておき、中央処理装置７から送られてきた波形データの中に設定以上の波の高さがあった場合、水中携帯装置３により即座に確認して自分の乗りやすいと思われる波を逃すことなく知る事ができる。また、自分にとって危険な波高も設定する事で上記同様に即座に確認して危険を避ける事も可能となる。
【００５２】
更に、海上や海岸付近にいないユーザに対しても、波情報検索部８が各波の高度情報に基づいてユーザ情報ＤＢ１３に格納された各ユーザ情報を順番に読み出す処理を行い、通知を希望しているか否かの判定処理、波の高度情報で示す波の高さがユーザがサーフィンで希望し通知を望む波の高さに合致するまたはそれ以上であるか否かの判定処理、最終通知時刻から通知間隔時間で示す時間が経過した時刻以後であるか否かの判定処理を行い、判定の結果、メール送信処理を行う。このため、ユーザに対してもリアルタイムに自己が希望する高さの波が発生したことを知らせることが可能となる。
【００５３】
（他の実施の形態）
上述の実施の形態において、波情報通知検索部８がユーザの希望する高さの波を通知する処理で、各波の高度情報が送信されると、波の高度情報で示す波の高さが津波と判断できる高さ、即ち、３ｍまたは４ｍ以上等の波の高さである場合には、各サーファが身に付けている水中携帯装置３およびその波が発生している海岸付近でアラーム音やサイレン等を出力させて津波の警報を報知するようにしても良い。
【００５４】
また、各サーファが携帯する水中携帯装置３が例えば所定時間周期毎に現在位置を示す位置情報を検出してこの位置情報および水中携帯装置３を識別するための識別情報を受信すると、波情報掲示部１１は、各水中携帯装置３の位置情報の総数を判定し、この総数を示す総数情報を通信網１４を介して通信端末１５に送信することとしても良い。このような処理により、ユーザは、海岸付近でのサーファの数を把握し海岸の混雑状況が正確にわかる。これにより海岸付近にいない陸上のユーザは、総数情報を確認して波の状況や混雑状況によりサーフィンに行くか否かの判断をするための参考とすることができる。
【００５５】
各水中携帯装置３は、危険や警告を報知する際に、アラーム音を出力するのみでなく、予め設けられたバイブレータ機能により振動を発生させてサーファに危険や警告を報知することとしてもよい。
【図面の簡単な説明】
【００５６】
【図１】本実施の形態における波情報通知システムの概略構成を示すブロック図である。
【図２】本実施の形態における波情報通知システムの波形データを水中携帯装置に表示する処理を示すフローチャートである。
【図３】本実施の形態における波情報通知システムの水中携帯装置の表示内容を示す説明図である。
【図４】本実施の形態における波情報通知システムのユーザ情報の登録時の処理を示す説明図である。
【図５】本実施の形態における波情報通知システムのユーザに希望する波高になった際に通知する処理を示すフローチャート図である。
【図６】本実施の形態における波情報通知システムの水中携帯装置の間隔が近付いたときに危険を報知する処理を示すフローチャート図である。
【符号の説明】
【００５７】
１  ＧＰＳ衛星
２  ブイ
３  水中携帯装置
４、５  基地局
６、１４  通信網
７  中央処理装置
８  波情報通知検索部
９  波情報受信部
１０  ユーザ情報登録部
１１  波情報検索部
１２  波情報通知部
１３  ユーザ情報ＤＢ
１５  通信端末
【図１】
2007133638.tif 000003
【図２】
2007133638.tif 000004
【図３】
2007133638.tif 000005
【図４】
2007133638.tif 000006
【図５】
2007133638.tif 000007
【図６】
2007133638.tif 000008